(57)【要約】【課題】  真空パッケージにおいて、ゲッタ配置のためや支柱形成のための加工を窓側ウエハに対しては行なわず、従来に比べての余分な工程を必要とせず、ゲッタを内部に適切に配置することができ、なおかつ、外部を大気圧に戻したときに真空状態の内部において素子と窓部とが互いに接触することも防止できるようにする。【解決手段】  真空パッケージは、機能デバイスが配列されることによって画素領域１６が形成された素子側基板１５と、窓側基板１３とが、シリコンからなる板状のスペーサ２４を介して互いに接合されている。スペーサ２４は画素領域１６に対応する領域に貫通孔１４を有する。スペーサ２４と素子側基板１５と窓側基板１３とによって囲まれた内部空間８０は真空状態となっている。スペーサ２４は、貫通孔１４の外側にスリット５を有する。スリット５の内部にはゲッタ３が収められている。【選択図】        図１
2005241292.tif 000002
【特許請求の範囲】
【請求項１】
機能デバイスが配列された素子側基板と、窓側基板とが、シリコンからなる板状のスペーサを介して互いに接合され、前記スペーサは前記機能デバイスに対応する領域に貫通孔を有し、前記スペーサと前記素子側基板と前記窓側基板とによって囲まれた内部空間は真空状態となっており、前記スペーサは、前記貫通孔の外側にスリットを有し、前記スリットの内部にはゲッタが収められている、真空パッケージ。
【請求項２】
前記スペーサは、前記貫通孔と前記スリットとを連通させる溝を有する請求項１に記載の真空パッケージ。
【請求項３】
前記ゲッタはメッシュ状または繊維状のものによって包まれている、請求項１または２に記載の真空パッケージ。
【請求項４】
第１のウエハと第２のウエハとを互いに貼り合せる貼合せ工程と、
前記貼合せ工程の後に前記第２のウエハに貫通孔を形成する貫通孔形成工程と、
真空中において前記貫通孔を塞ぐように第３のウエハを貼り付ける閉鎖工程とを含む、真空パッケージの製造方法。
【請求項５】
前記貼合せ工程の前に、前記第１のウエハの表面を覆うように熱酸化膜を形成する酸化膜形成工程を含み、
前記貫通孔形成工程においては、前記熱酸化膜をストッパとして利用するエッチングによって貫通孔を形成する、
請求項４に記載の真空パッケージの製造方法。
【請求項６】
前記貫通孔形成工程では、前記貫通孔を形成するのと同時に前記貫通孔の外にスリットを形成し、
前記閉鎖工程の前に、前記スリットの中にゲッタを配置する工程を含む、
請求項４または５に記載の真空パッケージの製造方法。
【請求項７】
前記スリットは、前記貫通孔と連通するように形成される、請求項６に記載の真空パッケージの製造方法。
【発明の詳細な説明】
【技術分野】
【０００１】
本発明は、真空パッケージおよびその製造方法に関するものである。
【背景技術】
【０００２】
機能デバイスである非冷却赤外線センサは、熱型センサとも言われるように、入射する赤外線を熱に変換し、温度変化による物性値の変化を電気信号として読み出すためのものである。このセンサ素子は、赤外線検知部を備えている。赤外線検出感度を高めるため、赤外線検知部は基板から熱的に隔離された断熱画素構造となっている。さらに、断熱性を高めるため、このようなセンサ素子全体が真空の空間内に設置されて使用される。
【０００３】
このようなセンサ素子は、ウエハ上に規則的に配列された状態で各工程を経て作製される。すなわちウエハレベルで作製される。
【０００４】
センサパッケージとしては、画素領域と、電気信号を読み出す回路及び端子部から構成されている。画素領域は画素の集合体となっており、画素の１つ１つが上述のセンサ素子となっていて画素ごとに温度検知を行なうことができる。
【０００５】
従来は、ウエハレベルで作製された後に、ダイサ切断などによって、センサパッケージ１つ分に相当するチップサイズごとに分割されていた。その分割したチップは、セラミックからなる未封止のパッケージ内部に配置され、接合された後に、真空雰囲気下においてパッケージの開口部を窓となる部材で塞ぐ、すなわち真空パッケージ化工程を行なうことによって組み立てられていた。
【０００６】
しかし、上述のような製造方法では、少量生産には対応できるが、組立作業が煩雑となるため、低価格化や素子の小型化には十分対応できなかった。このため、作業効率や生産性を向上させるという観点からセンサ素子を作製したウエハ上において直接、真空パッケージ化工程を行なうことが望まれている。こうすれば作業効率が上がり、低価格化が達成できると考えられているからである。
【０００７】
また、近年の微細加工技術の進歩により、機能デバイスはより複雑な構造を有するようになった。機能デバイスが複雑化するにつれて、外部的要因、たとえば風圧、水分、塵、静電気、結露などによって機能デバイスが簡単に破壊されてしまうことが問題視されていた。特に、ウエハサイズからチップサイズへの切断では、水および加圧された窒素を吹き付けて切りくずを取り除く必要があるため、機能デバイスの素子部分が破壊されやすく、予め素子全体を覆うような構造が今後のデバイス開発への課題となっていた。
【０００８】
特表平９−５０６７１２号公報（特許文献１）には真空パッケージの一例が開示されている。特許文献１の第６頁第７行〜第８頁第１２行では、赤外線検知部が形成されたウエハと窓側ウエハとを真空中で貼り合わせることで真空パッケージを構成する様子が記載されている。
【０００９】
真空中でウエハ同士を貼り合わせることによって、パッケージ内部を真空状態にすると外部を大気圧に戻したときに外部の気圧によりウエハがひずみ、赤外線検知部と、窓側ウエハとが接触するおそれがある。特許文献１の図３では、そのような事態を回避するために、窓側ウエハのうち画素領域に対向する領域に窪みを形成している。窓側ウエハはシリコンウエハであるため、窪みは強アルカリ液を用いたウエットエッチング法もしくは、ドライエッチング法により作製可能である。窓側ウエハの特に窓部となる領域の表裏両面には赤外線透過率を向上させるための反射防止膜が形成されている。
【００１０】
また、特許文献１の第８頁第１３行〜第９頁第１９行では、パッケージ内部からの脱ガスによる真空度の劣化を防止するため、パッケージ内部にはゲッタが必要であることも記述されている。ただし、ゲッタを真空パッケージ内部に固定するためにはさらに余分な工程が必要となってしまう。
【００１１】
また、特許文献１の第８頁最下行〜第９頁第６行では、ゲッタの活性化のために、基板とは熱的に絶縁されたマイクロブリッジを形成し、その上にゲッタを形成することも記述されている。この構造では、マイクロブリッジに通電することによってゲッタを加熱し、その結果、ゲッタを活性化することができる。ただし、この構造では、窓側ウエハにゲッタを固定するための余分な加工が必要となる。
【００１２】
また、第１０頁第１行〜第１５行には、赤外線検知部と窓側ウエハとの間を離すための方法として、窓部が湾曲して赤外線検知部と接触し易い部位に少なくとも１本の支柱を設けることや、金属などの蒸着材料からなるスタンドオフを支柱と同時に配置する工程が記載されている。しかし、この方法では、窓側ウエハに加工が必要となる。さらに、ウエハの画素領域内に支柱を保持するための領域を確保することも必要となる。一方、窓側ウエハに窪みや支柱を形成する場合、入射した赤外光を透過させるため窪みの底面の平滑度が問題となる。たとえば、赤外線が透過する窓に傷や残渣などがあるとその領域で入射赤外光が散乱し、得られる赤外画像の中に窓の傷に起因する画像ムラが発生する。
【００１３】
また、窓側の構造を複雑化することで残渣などによる異物や塵などが残存するという問題があり、これがパッケージ内でガスを放出させる要因となり、封止された真空度の長期安定性に支障をきたす。さらに塵は、画素損傷を招き画素欠陥を増加させる危険性がある。残渣などは窓側と支持部との接合不良を招くおそれがある。このようなことから、特許文献１に記載された発明では赤外光が入射する窓部に対するダメージが懸念される。
【００１４】
特開平１１−１４５３１６号公報（特許文献２）には他の構造のデバイス封止構造体が開示されている。特許文献２では、デバイスとしての可動部を形成した固定部の上側に枠状の接着用ガラスを介してキャップを接合することによって、デバイスが固定部上面から突出する高さの問題を解消し、高気密が要求されるデバイス封止を可能とする構造体が提案されている。
【特許文献１】特表平９−５０６７１２号公報
【特許文献２】特開平１１−１４５３１６号公報
【発明の開示】
【発明が解決しようとする課題】
【００１５】
本発明は、ゲッタ配置のためや支柱形成のための加工を窓側ウエハに対しては行なわず、従来に比べての余分な工程を必要とせず、ゲッタを内部に適切に配置することができ、なおかつ、外部を大気圧に戻したときに真空状態の内部において素子と窓部とが互いに接触することも防止できるような真空パッケージおよびその製造方法を提供することを目的とする。
【課題を解決するための手段】
【００１６】
上記目的を達成するため、本発明に基づく真空パッケージは、機能デバイスが配列された素子側基板と、窓側基板とが、シリコンからなる板状のスペーサを介して互いに接合されている。上記スペーサは上記機能デバイスに対応する領域に貫通孔を有する。上記スペーサと上記素子側基板と上記窓側基板とによって囲まれた内部空間は真空状態となっている。上記スペーサは、上記貫通孔の外側にスリットを有する。上記スリットの内部にはゲッタが収められている。
【発明の効果】
【００１７】
本発明によれば、窓側基板に対しては何ら付加的な加工を行なわずに、ゲッタが確実に内部空間に露出するように配置された真空パッケージを実現することができる。したがって、窓側基板の平滑性を損なうことがない。しかも、スペーサが介在することによって窓側基板と素子側基板との間が十分に離隔しているので、内部空間において素子がある画素領域とこれに対向する窓部とが互いに接触することも防止できる。
【発明を実施するための最良の形態】
【００１８】
（実施の形態１）
（構成）
図１、図２を参照して、本発明に基づく実施の形態１における真空パッケージについて説明する。この真空パッケージの断面図を図１に示す。この真空パッケージを説明の便宜のために分解したところを図２に示す。この真空パッケージにおいては、素子側基板１５と、窓側基板１３とが、シリコンからなる板状のスペーサ２４を介して互いに接合されている。素子側基板１５には、パッケージの内部に面して画素領域１６を有する。画素領域１６には機能デバイスとしての赤外線センサ素子が配列されている。スペーサ２４は、機能デバイスに対応する領域すなわち画素領域１６に対応する領域に貫通孔１４を有する。スペーサ２４と素子側基板１５と窓側基板１３とによって囲まれた内部空間８０（図１参照）は真空状態となっている。スペーサ２４は、貫通孔１４の外側にスリット５を有し、スリット５の内部にはゲッタ３が収められている。
【００１９】
窓側基板１３のうち画素領域１６に対向する領域は窓部１２となっている。窓部１２のうちパッケージの内部に面した側には反射防止膜１２ｂが形成されており、外部に面した側には反射防止膜１２ａが形成されている。スペーサ２４と素子側基板１５との間には、熱酸化膜１７ａおよびメタライズ膜８ａが介在している。スペーサ２４と窓側基板１３との間には、熱酸化膜１７ｂおよびメタライズ膜８ｂが介在している。ゲッタ３は、スペーサ２４とその上下にある窓側基板１３や素子側基板１５との間の隙間によって、内部空間８０に対して露出している。
【００２０】
（作用・効果）
本実施の形態では、窓側基板１３に対しては何ら付加的な加工を行なわずに、ゲッタが確実に内部空間に露出するように配置された真空パッケージを実現することができる。したがって、窓側基板１３の平滑性を良好な状態とすることができる。しかも、スペーサ２４が介在することによって窓側基板１３と素子側基板１５との間が十分に離隔しているので、外部を大気圧に戻したときに真空状態の内部空間において素子がある画素領域１６と窓部１２とが接触することも防止できる。
【００２１】
（実施の形態２）
（製造方法）
図３〜図１０を参照して、本発明に基づく実施の形態２における真空パッケージの製造方法について説明する。図３〜図９においては、各図の（ａ）は断面図であり、各図の（ｂ）は平面図である。また、この製造方法は複数の真空パッケージを並行して一斉に作製することを前提にウエハレベルで行なわれるが、図３〜図９では、１つの真空パッケージに対応する部分だけを取り出して表示している。本実施の形態における真空パッケージの製造方法は、実施の形態１で示した真空パッケージを製造するためのものである。
【００２２】
図３（ａ），（ｂ）に示すように、第１のウエハとしての窓側ウエハ１の両面を鏡面研磨し、この両面に厚み０．５μｍの熱酸化膜１７ｂ，１７ｃを形成する。窓側ウエハ１としては、たとえば厚みが０．５〜０．６ｍｍで直径が４インチのシリコンウエハを用いる。熱酸化膜１７ｂ，１７ｃは、薬液やエッチングガスから窓側ウエハ１を保護する役割やエッチングストッパとしての役割を担う。
【００２３】
蒸着、スパッタリング、めっき法によって、熱酸化膜１７ｂの全面を覆うようにメタライズ膜を形成する。メタライズ膜は、金（Ａｕ）／ニッケル（Ｎｉ）／クロム（Ｃｒ）膜を順に積層したものであり、合計膜厚は１〜２μｍとなっている。このメタライズ膜の上にレジスト材などの感光性材料を載せ、のちにスペーサ用ウエハ２と接合する領域だけを残すようにパターニングを行なう。たとえば湿式エッチングなどを用いて不要なメタライズ膜およびレジスト材を除去する。
【００２４】
こうして、図４（ａ），（ｂ）に示すように、熱酸化膜１７ｂを部分的に覆うメタライズ膜８ｂを形成する。
【００２５】
図５（ａ），（ｂ）に示すように、第２のウエハとしてのスペーサ用ウエハ２を貼り合わせる。スペーサ用ウエハ２は窓側ウエハ１同様のシリコンウエハであり、厚みは０．５ｍｍである。スペーサ用ウエハ２の表面には予め熱酸化膜１７ａが形成されており、熱酸化膜１７ａの上を部分的に覆うようにメタライズ膜８ａが形成されている。スペーサ用ウエハ２は、窓側ウエハ１のメタライズ膜８ｂに対して、はんだ結合、Ａｕ−Ｓｉ共晶結合、ガラスフリットなどの方法を用いて貼り付けられる。
【００２６】
スペーサ用ウエハ２にレジストパターニングを行なう。ＲＩＥ（Plasma-Reactive Ion Etching）法などのドライエッチング法を用いてスペーサ用ウエハ２の表面にある熱酸化膜１７ａの不要部分を除去し、レジストをマスクとしてスペーサ用ウエハ２を構成するシリコンを部分的に除去し、貫通孔１４およびスリット５を形成する。このとき貫通孔１４は画素領域１６よりも広くなるように設ける。スリット５は貫通孔１４の外側に配置される。さらにＯ2ガスを用いたＲＩＥ法でレジストを除去する。こうして、図６（ａ），（ｂ）に示す構造を得る。窓側ウエハ１の表面にある熱酸化膜１７ｂは貫通孔１４およびスリット５の形成時にエッチングストッパとして作用する。
【００２７】
フッ酸薬液による処理および水洗により熱酸化膜１７ａ，１７ｂ，１７ｃの不要部分の除去を行なう。その結果、図７（ａ），（ｂ）に示す構造となる。すなわち、熱酸化膜１７ａ，１７ｂはメタライズ膜８ａ，８ｂに覆われた部分にのみ残存することとなる。
【００２８】
スペーサ用ウエハ２は貫通孔１４周囲ではシリコン部分がメタライズ膜８ａ，８ｂよりも貫通孔１４の内側に向かって突出するような形状となっているため、水洗後に遠心力を利用したスピン乾燥を行なう場合には貫通孔１４内に水が残ってしまうおそれがある。そのため、スピン乾燥などで乾燥処理を行なった後にホットプレートなどを用いて水分を完全に除去することが望ましい。
【００２９】
図８（ａ），（ｂ）に示すように、マスク蒸着によって反射防止膜１２ａ，１２ｂを窓部１２の両面に形成する。ゲッタ３をスリット５に挿入する。
【００３０】
この構造物を１０-4Ｐａ程度の真空雰囲気中に置き、はんだ結合によって第３のウエハとしての素子側ウエハ４と貼り合わせる。素子側ウエハ４は厚み０．５〜０．６ｍｍのシリコンウエハであって、表面には予め画素領域１６が形成されている。素子側ウエハ４は真空中で貫通孔１４を塞ぐように貼り付けられる。貼り合わせた結果、図９（ａ），（ｂ）に示す構造となる。内部空間８０は真空状態となる。
【００３１】
ここまでの工程はウエハレベルで行なっているので、ウエハの面内には複数の内部空間８０が構築されている。これらを図１０に示すように切断する。チップサイズに切断されることによって、窓側ウエハ１は窓側基板１３となり、スペーサ用ウエハ２はスペーサ２４となり、素子側ウエハ４は素子側基板１５となる。こうして、図１に示した真空パッケージを得ることができる。
【００３２】
（作用・効果）
本実施の形態では、窓側基板となるウエハに対しては凹みの形成やゲッタ固定のための加工などといった付加的な加工を何ら行なわずに、真空パッケージを製造することができる。したがって、窓部の平滑性を劣化させずに製造することができる。ほとんどの工程をウエハレベルで行なうので、真空パッケージを複数一括して生産することができ、作業効率はきわめて良いものとなる。ゲッタはスリットによって拘束されるので確実に所望の位置に保持することができ、内部空間に露出するように配置することができる。
【００３３】
スペーサはウエハを材料として作成しているので、スペーサとなる枠状部材を予め製作する必要もなく、ウエハ同士を貼り合わせた状態で熱酸化膜をエッチングストッパとして適切な貫通孔を形成することができる。ゲッタを配置するためのスリットは貫通孔と同時に形成することができるので、余分な工程を増やすこともない。ゲッタの配置もスリット内に挿入するだけでよいので作業が簡便である。
【００３４】
上述の例では、スペーサ用ウエハ２の厚みを０．５ｍｍとしたが、これに限定されるものではない。スペーサ用ウエハは、画素領域が対向する面に接触しない範囲で、薄ければ薄い方がエッチング時間の短縮が図れるため好ましい。
【００３５】
上述の例では、窓側ウエハ１としては両面に熱酸化膜が付いているウエハを使用したが、これに限定されるものではなく、熱酸化膜の代わりに、ＣＶＤ（化学的気相成長法）やスパッタ法で得られるシリコン酸化膜およびシリコン窒化膜をウエハ表面に設けてもよい。
【００３６】
上述の例では、貫通孔１４は四角形となっているが、画素領域１６にかからない形状であれば他の形状であってもかまわない。
【００３７】
上述の例では、反射防止膜１２ａは、マスク蒸着によって限られた箇所のみに形成したが、マスク蒸着せずにウエハ全面に形成してそのまま残してもよい。
【００３８】
実施の形態１，２とも、ゲッタ３の材料としては、たとえばチタン（Ｔｉ）、ジルコニウム（Ｚｒ）、ハフニウム（Ｈｆ）、セリウム（Ｃｅ）、トリウム（Ｔｈ）などのうち少なくともいずれかを含む焼結材料が選択可能である。素子側ウエハから放出されるガスなどを吸着して真空パッケージの内部空間の真空度を維持できるものであれば上述のうちいずれの材料であってもよい。ただし、ゲッタ３の形状は、スリット５に収まる寸法のものである必要がある。スペーサ用ウエハ２に設けられるスリット５は、ゲッタ３自体の幅や長さよりも大きい方がゲッタ３を装着させやすいので好ましい。さらに、素子側ウエハ４を結合する際に用いるはんだを利用してゲッタ３を固定してもよい。
【００３９】
（実施の形態３）
（構成）
図１１を参照して、本発明に基づく実施の形態３における真空パッケージについて説明する。この真空パッケージは、基本的に図１に示した実施の形態１の真空パッケージと同様の構成であるが、ゲッタ３の構造が異なっている。図４は断面図の中でゲッタ近傍を拡大表示したところである。本実施の形態では、スリット５内に配置されたゲッタ３は、ゲッタ粒子よりも細かいメッシュの金属薄膜１９によって包み込まれている。この場合、スリット５の幅は、金属薄膜１９の厚み分だけ広めになっている。
【００４０】
（作用・効果）
本実施の形態では、ゲッタ３をメッシュ状の金属薄膜１９で包んでからスリット５内に配置されているので、ゲッタ３が他の部材と擦れ合って摩耗して粉塵を発生するという事態を防止することができる。
【００４１】
メッシュ状の金属薄膜１９の代わりに、ゲッタの吸収を妨げない繊維質の材料を用いて包むこととしてもよい。
【００４２】
本実施の形態においても、実施の形態１で説明した効果は当然得られる。また、実施の形態２で説明した製造方法において、用いるゲッタ３を金属薄膜１９によって包まれたゲッタ３に置き換えることによって、本実施の形態における真空パッケージを容易に製造することができる。
【００４３】
（実施の形態４）
（構成）
図１２を参照して、本発明に基づく実施の形態４における真空パッケージについて説明する。この真空パッケージは、基本的に図１に示した実施の形態１の真空パッケージと同様であるが、スペーサの形状が異なっている。図１２は、真空パッケージをスペーサの中心の高さで水平に切断した断面図である。この真空パッケージにおいては、スペーサ２４ｈが貫通孔１４とスリット５とを連通させる溝２３ｈを有する。図１２に示した例では、溝２３ｈは３本設けられているが、溝は他の本数であってもよい。
【００４４】
（作用・効果）
本実施の形態では、貫通孔１４とスリット５とが溝２３ｈによって連通しているため、ゲッタ３は、貫通孔１４の内部空間に対してより広い面積で露出していることになる。したがって、ゲッタ３によるガス吸収をより効率良く確実に行なわせることができる。
【００４５】
なお、スペーサ２４ｈに代えて、図１３に示すようにスペーサ２４ｉを用いてもよい。スペーサ２４ｉでは、幅の広い１本の溝２３ｉによって貫通孔１４とスリット５とが連通している。この構造でも、ゲッタ３は、貫通孔１４の内部空間に対して広い面積で露出していることになるので好ましい。
【００４６】
本実施の形態における真空パッケージも、実施の形態２で説明した製造方法において、スペーサに対して貫通孔およびスリットを形成する際のパターン形状を変更するだけで製造することができる。
【００４７】
なお、上記各実施の形態では、１つの真空パッケージ当たりゲッタが１つである例を示したが、１つの真空パッケージ当たり複数個のゲッタを配置してもよい。たとえば、四角形の各辺ごとにスリットを設けてそれぞれゲッタを配置してもよい。
【００４８】
なお、上記各実施の形態では、熱型の赤外線センサに関して真空パッケージおよびその製造方法について説明したが、本発明は、内部空間へのゲッタの配置や内部空間の真空状態の維持を必要とする他の機能デバイスのパッケージにも適用することができる。
【００４９】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００５０】
【図１】本発明に基づく実施の形態１における真空パッケージの断面図である。
【図２】本発明に基づく実施の形態１における真空パッケージの分解斜視図である。
【図３】（ａ），（ｂ）は、本発明に基づく実施の形態２における真空パッケージの製造方法の第１の工程を示す断面図および平面図である。
【図４】（ａ），（ｂ）は、本発明に基づく実施の形態２における真空パッケージの製造方法の第２の工程を示す断面図および平面図である。
【図５】（ａ），（ｂ）は、本発明に基づく実施の形態２における真空パッケージの製造方法の第３の工程を示す断面図および平面図である。
【図６】（ａ），（ｂ）は、本発明に基づく実施の形態２における真空パッケージの製造方法の第４の工程を示す断面図および平面図である。
【図７】（ａ），（ｂ）は、本発明に基づく実施の形態２における真空パッケージの製造方法の第５の工程を示す断面図および平面図である。
【図８】（ａ），（ｂ）は、本発明に基づく実施の形態２における真空パッケージの製造方法の第６の工程を示す断面図および平面図である。
【図９】（ａ），（ｂ）は、本発明に基づく実施の形態２における真空パッケージの製造方法の第７の工程を示す断面図および平面図である。
【図１０】（ａ），（ｂ）は、本発明に基づく実施の形態２における真空パッケージの製造方法の第８の工程を示す断面図および平面図である。
【図１１】本発明に基づく実施の形態３における真空パッケージの部分拡大断面図である。
【図１２】本発明に基づく実施の形態４における真空パッケージの第１の例の断面図である。
【図１３】本発明に基づく実施の形態４における真空パッケージの第２の例の断面図である。
【符号の説明】
【００５１】
１  窓側ウエハ、２  スペーサ用ウエハ、３  ゲッタ、４  素子側ウエハ、５  スリット、８ａ，８ｂ  メタライズ膜、１２  窓部、１２ａ，１２ｂ  反射防止膜、１３  窓側基板、１４  貫通孔、１５  素子側基板、１６  画素領域、１７ａ，１７ｂ，１７ｃ  熱酸化膜、１９  金属薄膜、２３ｈ，２３ｉ  溝、２４，２４ｈ，２４ｉ  スペーサ、８０  内部空間。
【図１】
2005241292.tif 000003
【図２】
2005241292.tif 000004
【図３】
2005241292.tif 000005
【図４】
2005241292.tif 000006
【図５】
2005241292.tif 000007
【図６】
2005241292.tif 000008
【図７】
2005241292.tif 000009
【図８】
2005241292.tif 000010
【図９】
2005241292.tif 000011
【図１０】
2005241292.tif 000012
【図１１】
2005241292.tif 000013
【図１２】
2005241292.tif 000014
【図１３】
2005241292.tif 000015